(57)【特許請求の範囲】
【請求項１】
有料道路の料金所が備える車線の路側に配置され、自動料金収受カードからカード情報を読み取るとともに送信し、該送信したカード情報に基づいて生成された清算情報を受信するとともに前記自動料金収受カードに書き込むカード処理装置と、
前記料金所の料金所事務室に設置され、前記カード処理装置から前記カード情報を受信し、該受信したカード情報に基づいて生成される前記清算情報を前記カード処理装置に送信する制御装置と、
を具備する自動料金収受カード処理システムであって、
前記カード処理装置が、
前記カード処理装置の正面に設置され、前記車線上であって前記カード処理装置の前に停車する車両方向に向けられており、前記停車する車両の窓越しに車内から提示された証明書を撮影する証明書用撮影部を有し、
前記制御装置が、
前記カード処理装置の証明書用撮影部が撮影した映像を表示する第１の表示部を有する、
ことを特徴とする自動料金収受カード処理システム。
【請求項２】
前記カード処理装置が、前記車両の全体を撮影するための操作面撮影部を有し、
前記制御装置が、前記カード処理装置の操作面撮影部が撮影した映像を表示する第２の表示部を有する、
ことを特徴とする請求項１に記載の自動料金収受カード処理システム。
【請求項３】
前記料金所が複数の車線を備え、
前記複数の車線のそれぞれの路側に前記カード処理装置が配置され、
前記制御装置は、
前記複数のカード処理装置の中からいずれか１つを選択する選択部を有し、
前記制御装置は、
前記選択部により選択されたカード処理装置である被選択カード処理装置から、前記カード情報を受信し、該受信したカード情報に基づいて生成される前記清算情報を前記被選択カード処理装置に送信する、
ことを特徴とする請求項１または請求項２に記載の自動料金収受カード処理システム。
【請求項４】
前記カード処理装置のそれぞれが、前記車線上の車両方向に向けられ、前記証明書用撮影部の撮影領域に光を照明する照明部を有し、
前記制御装置は、
前記選択部により選択された被選択カード処理装置が有する照明部を点灯する入力を受け付ける照明入力部、
を有することを特徴とする請求項３に記載の自動料金収受カード処理システム。
【請求項５】
前記選択部は、複数の車線選択釦であって、
前記証明入力部は、１つのカメラ照明点灯釦であることを特徴とする請求項４に記載の自動料金収受カード処理システム。
【請求項６】
前記制御装置は、
前記選択部の選択に基づいて、前記被選択カード処理装置の証明書用撮影部が撮影した映像を前記第１の表示部に表示する第１の表示制御部、
を有することを特徴とする請求項３から請求項５のうちいずれか一項に記載の自動料金収受カード処理システム。
【請求項７】
前記制御装置は、
前記選択部の選択に基づいて、前記被選択カード処理装置の操作面撮影部が撮影した映像を前記第２の表示部に表示する第２の表示制御部、
を有することを特徴とする請求項３から請求項６に記載の自動料金収受カード処理システム。
【請求項８】
前記料金所が、
少なくとも車両の車高を判別する車種判別装置を有し、
前記カード処理装置が、
車高に合わせて予め設置された複数の前記証明書用撮影部と、
車線が対応している前記車種判別装置が判別した車高に基づいて、前記カード処理装置が有する複数の証明書用撮影部の中から、１つの証明書用撮影部を選択する証明書用撮影部選択部と、
を有することを特徴とする請求項１から請求項７のうちいずれか一項に記載の自動料金収受カード処理システム。
【請求項９】
前記第１の表示部が、
前記カード処理装置の証明書用撮影部が撮影した映像を、静止画または所定の周期の静止画として表示する、
ことを特徴とする請求項１から請求項８のうちいずれか一項に記載の自動料金収受カード処理システム。
【発明の詳細な説明】
【技術分野】
【０００１】
本発明は、自動料金収受カード処理システムを用いた有料道路の料金収受装置の技術に関する。
【背景技術】
【０００２】
有料道路の料金を処理するために、ＥＴＣ（Ｅｌｅｃｔｒｏｎｉｃ  Ｔｏｌｌ  Ｃｏｌ
ｌｅｃｔｉｏｎ）（自動料金収受）技術を用いた自動料金収受カード処理システムが使用されている。
【０００３】
このようなＥＴＣカード処理システムとして、特許文献１に示されるＥＴＣカード処理システムが知られている。このＥＴＣカード処理システムは、有料道路の料金所が備える複数の車線の路側にそれぞれ配置されるカード処理装置を備える。また、このカード処理装置は、挿入口に挿入されたＥＴＣカードに対して読み出し／書き込み処理を行う。読み出された情報は、料金所事務室に送信される。料金所の有人ブースには、複数のカード処理装置のうちのいずれかを選択するための選択釦を備えた車線選択装置が設置される。車線選択装置は、選択釦によって選択された被選択カード処理装置によって読み取られるカード情報に基づいて生成される精算情報を被選択カード処理装置に送信する。これにより、この特許文献１に示されるＥＴＣカード処理システムは、ＥＴＣ専用レーンで車載器との通信が正常に行われなかった場合であっても、迅速に料金処理を行うことを可能にすることができる。
【０００４】
ここで、有料道路における身体障害者割引制度という制度が知られている。この有料道路における身体障害者割引制度とは、利用者である身体障害者が身体障害者手帳又は療育手帳（以降、証明書と称する）を提示することにより、有料道路の利用料金について、割引を受けることができる制度である。
【０００５】
上記に説明した特許文献１に示されるＥＴＣカード処理システムも、この身体障害者割引制度に対応しており、たとえば、カード処理装置にはカメラが備えられており、利用者はこのカメラに証明書を提示することにより、有料道路の利用料金についての割引を受けることができる。
【特許文献１】特開２００７−１２８２９６号公報
【発明の開示】
【発明が解決しようとする課題】
【０００６】
しかしながら、特許文献１に示されるＥＴＣカード処理システムにおいては、カメラは、車線に立つ人が手を差し出しやすい場所に焦点が合うように設置されているため、作業員にカメラを介して証明書を提示する場合には、利用者は、車両の窓を開けて、証明書を持った手を差し出して証明書を提示しなくてはならないという問題があった。そのため、雨天の場合においては、証明書が雨で濡れてしまうという問題や、車内に雨が入ってしまうという問題があった。
【０００７】
本発明は、このような事情に鑑みてなされたもので、その目的は、利用者が証明書を持った手を差し出して証明書を提示すること無しに、利用者がカメラを介して証明書を作業員に提示することができる自動料金収受カード処理システムを提供することにある。
【課題を解決するための手段】
【０００８】
この発明は上述した課題を解決するためになされたもので、有料道路の料金所が備える車線の路側に配置され、自動料金収受カードからカード情報を読み取るとともに送信し、該送信したカード情報に基づいて生成された清算情報を受信するとともに前記自動料金収受カードに書き込むカード処理装置と、前記料金所の料金所事務室に設置され、前記カード処理装置から前記カード情報を受信し、該受信したカード情報に基づいて生成される前記清算情報を前記カード処理装置に送信する制御装置と、を具備する自動料金収受カード処理システムであって、前記カード処理装置が、前記カード処理装置の正面に設置され、前記車線上であって前記カード処理装置の前に停車する車両方向に向けられており、前記停車する車両の窓越しに車内から提示された証明書を撮影する証明書用撮影部を有し、前記制御装置が、前記カード処理装置の証明書用撮影部が撮影した映像を表示する第１の表示部を有する、ことを特徴とする自動料金収受カード処理システムである。
【０００９】
また、この発明は、前記カード処理装置が、前記車両の全体を撮影するための操作面撮影部を有し、前記制御装置が、前記カード処理装置の操作面撮影部が撮影した映像を表示する第２の表示部を有する、ことを特徴とする請求項１に記載の自動料金収受カード処理システムである。
【００１０】
また、この発明は、前記料金所が複数の車線を備え、前記複数の車線のそれぞれの路側に前記カード処理装置が配置され、前記制御装置は、前記複数のカード処理装置の中からいずれか１つを選択する選択部を有し、前記制御装置は、前記選択部により選択されたカード処理装置である被選択カード処理装置から、前記カード情報を受信し、該受信したカード情報に基づいて生成される前記清算情報を前記被選択カード処理装置に送信する、ことを特徴とする自動料金収受カード処理システムである。
【００１１】
また、この発明は、前記カード処理装置のそれぞれが、前記車線上の車両方向に向けられ、前記証明書用撮影部の撮影領域に光を照明する照明部を有し、前記制御装置は、前記選択部により選択された被選択カード処理装置が有する照明部を点灯する入力を受け付ける照明入力部、を有することを特徴とする自動料金収受カード処理システムである。
また、この発明は、前記選択部は、複数の車線選択釦であって、前記証明入力部は、１つのカメラ照明点灯釦であることを特徴とする自動料金収受カード処理システムである。
【００１２】
また、この発明は、前記制御装置は、前記選択部の選択に基づいて、前記被選択カード処理装置の証明書用撮影部が撮影した映像を前記第１の表示部に表示する第１の表示制御部、を有することを特徴とする自動料金収受カード処理システムである。
【００１３】
また、この発明は、前記制御装置は、前記選択部の選択に基づいて、前記被選択カード処理装置の操作面撮影部が撮影した映像を前記第２の表示部に表示する第２の表示制御部、を有することを特徴とする自動料金収受カード処理システムである。
【００１４】
前記料金所が、少なくとも車両の車高を判別する車種判別装置を有し、前記カード処理装置が、車高に合わせて予め設置された複数の前記証明書用撮影部と、車線が対応している前記車種判別装置が判別した車高に基づいて、前記カード処理装置が有する複数の証明書用撮影部の中から、１つの証明書用撮影部を選択する証明書用撮影部選択部と、を有することを特徴とする自動料金収受カード処理システムである。
【００１５】
前記第１の表示部が、前記カード処理装置の証明書用撮影部が撮影した映像を、静止画または所定の周期の静止画として表示する、ことを特徴とする自動料金収受カード処理システムである。
【発明の効果】
【００１６】
この発明によれば、有料道路の料金所が備える車線の路側に配置され、ＥＴＣカードからカード情報を読み取るとともに送信し、該送信したカード情報に基づいて生成された清算情報を受信するとともにＥＴＣカードに書き込むカード処理装置と、料金所の料金所事務室に設置され、カード処理装置からカード情報を受信し、該受信したカード情報に基づいて生成される清算情報をカード処理装置に送信する制御装置と、を具備するＥＴＣカード処理システムであって、カード処理装置が、車線上の車両方向に向けられ、証明書を撮影するための証明書用撮影部を有し、制御装置が、カード処理装置の証明書用カメラが撮影した映像を表示する表示部を有することにより、作業員にカメラを介して証明書を提示する場合においても、利用者は、証明書を持った手を差し出して証明書を提示すること無しに、カメラを介して証明書を作業員に提示することができるという効果を奏する。また、そのために、雨天の場合においても、証明書が雨で濡れないという効果、および、車内に雨が入ることがないという効果を奏する。
【発明を実施するための最良の形態】
【００１７】
以下、図面を参照しながら本発明によるＥＴＣカード処理システムについて説明する。図１は、本実施の形態におけるＥＴＣカード処理システムが適用される有料道路の料金所の構成を示す。
【００１８】
料金所は、複数の車線２を備える。図１には、図中に記載されている数字を正しい向きで見る方向から紙面を見た場合に（図中符号Ａの矢印の方向から見た場合に）、車両が右側から左側に走行する車線のみ描かれている。この車線２はＥＴＣ専用の車線であり、そのため、それぞれの車線の路側に収受員ブースは設置されていない。
【００１９】
各々の車線２の入口には、車線２に車両が進入したことを検知する車両検知器４が設置されている。入口には更に、車両検知器４によって検知される車両の車高、車幅等を検出して車種を判別する車種判別装置６が設けられている。各々の車線２には、入口から進入した車両のＥＴＣ車載器と無線通信を行い、料金処理のための情報の授受を行うＥＴＣアンテナ８が設置される。各々の車線２には、ＥＴＣアンテナ８の下流側の路側に、カード処理装置１０が設置される。
【００２０】
図１には３車線が示されており、各々の車線に対応してカード処理装置１０‐１、１０‐２及び１０‐３が示されている。カード処理装置１０の下流側には、発進制御機１２が設置される。各々の車線２の路側には車線サーバ１９が設置される。車線サーバ１９はコンピュータシステムを含み、当該車線２に設置される車両検知器４、車種判別装置６及びＥＴＣアンテナ８と通信可能に接続される。
【００２１】
また、料金所には、作業者が中に入って作業を行う料金所事務室１４が設置される。料金所事務室１４には、相互に通信可能に接続される監視装置１６、料金所サーバ１８及び車線選択装置（制御装置）２０が設置される。監視装置１６は、ＥＴＣアンテナ８の通信が成功しなかったときに音声や光によって警告を発すると共に車線を特定する情報を表示する。料金所サーバ１８は複数の車線サーバ１９と通信可能に接続される。車線選択装置２０は、複数のカード処理装置１０に接続される。
【００２２】
図２は、複数のカード処理装置１０のうちの任意の１つと車線選択装置２０との構成を示す。カード処理装置１０は、ＩＣカードのＩＣチップに対して情報の読み書きを行うＩＣカードリーダ／ライタを備えたＩＣカード処理部２２を備える。ＩＣカード処理部２２はインターフェース２４を介して車線選択装置２０と通信可能に接続される。
【００２３】
カード処理装置１０は更に、案内灯３２、カード挿入口案内ランプ２６、カード挿入口シャッター２８、スピーカ３０、通行料金表示ＬＥＤ２９、カメラ照明（照明部）３５、証明書用カメラ（証明書用撮影部）３７、操作面カメラ（操作面撮影部）３９、及び、インターホン子機３１を備える。この案内灯３２、カード挿入口案内ランプ２６、カード挿入口シャッター２８、スピーカ３０、及び、通行料金表示ＬＥＤ２９は、インターフェース２４を介して車線選択装置２０と通信可能に接続される。また、カメラ照明３５、証明書用カメラ３７、操作面カメラ３９は、車線選択装置２０と通信可能に接続される。また、インターホン子機３１は、車線選択装置２０の後述するインターホン親機５３と通話可能に接続される。なお、インターホン子機３１は、スピーカ３０を用いて音声を出力する。なお、インターホン子機３１の機能をカード処理装置１０に内蔵し、例えば、カード処理装置１０に別途マイクを取り付けて、インターホン子機３１として使用するようにしてもよい。
【００２４】
車線選択装置２０は、入力装置である操作部４６を備える。操作部４６は、案内灯入力部７６と、カメラ照明入力部７２と、車線選択部７８とを有する。操作部４６は、切換部４４に接続される。切換部４４は、インターフェース４０を介してカード処理装置１０‐１、１０‐２、１０‐３…が備えるインターフェース２４を介して、それぞれのＩＣカード処理部２２に通信可能に接続される。
切換部４４は更に、インターフェース４０を介してカード処理装置１０‐１、１０‐２、１０‐３…が備える案内灯３２、カード挿入口案内ランプ２６、カード挿入口シャッター２８、及び、スピーカ３０に接続される。この切換部４４、操作部４６、インターフェース４０及びインターフェース４１は、簡易ＩＣＣ処理装置制御部３８の筐体に収納されている。
【００２５】
車線選択装置２０は更に、カメラ照明３５、証明書用カメラ３７、操作面カメラ３９の動作を制御するカメラ制御部（第１の表示制御部、第２の表示制御部）５０と、証明書用カメラ３７及び操作面カメラ３９が撮影した画像を表示するモニタ（第１の表示部、第２の表示部）５２と、カード処理装置１０が備えるインターホン子機３１と通話可能に接続されるインターホン親機５３とを備える。また、車線選択装置２０は、ＩＣカード情報処理装置４８を備える。このＩＣカード情報処理装置４８は、ＩＣカード処理部２２によって読み取られた情報を処理し、また、ＩＣカード処理部２２によってＩＣカードに書き込まれる情報を生成する。切換部４４は、操作部４６、カメラ制御部５０、及び、ＩＣカード情報処理装置４８に接続される。ＩＣカード情報処理装置４８は、ネットワークを介して料金所サーバ１８に接続される。
【００２６】
なお、モニタ５２は、複数のモニタ装置であってもよいし、１つのモニタ装置であってもよい。１つのモニタ装置である場合には、例えば、表示領域が複数の表示領域に分割されており、分割されたそれぞれの領域に、カメラ制御部５０の制御に基づいて、それぞれの映像を表示するようにしてもよい。
【００２７】
図３に、カード処理装置１０の外形を示す。カード処理装置１０は、正面が車線２の方に向いた状態で路側に設置される。カード挿入口案内ランプ２６は、カード処理装置１０の正面に設置される。ＩＣカード処理部２２のＥＴＣカード挿入口２５は、カード処理装置１０の正面の、カード挿入口案内ランプ２６の近くに開口する。ＥＴＣカード挿入口２５には、電気的な信号に応答して開閉するカード挿入口シャッター２８が設けられる。カード挿入口シャッター２８により、ＥＴＣカード挿入口２５に塵埃または水滴が浸入することが防がれる。スピーカ３０は、カード処理装置１０の正面に設置される。案内灯３２は、カード処理装置１０の筐体の天面の上、あるいは正面の上端付近に設置される。
【００２８】
また、通行料表示ＬＥＤ２９、インターホン子機３１、カメラ照明３５、証明書用カメラ３７、及び、操作面カメラ３９が、カード処理装置１０の正面に設置される。この証明書用カメラ３７は、車線上であってカード処理装置１０の前に停止する車両方向に向けられており、ドライバーが証明書を窓から提示した場合に、提示された証明書を窓越しに撮影しやすく、かつ、提示された証明書に焦点が合わせやすいように設置されている。また、この証明書用カメラ３７は、提示された証明書に焦点を合わせるためのオートフォーカス機能を有していてもよい。
【００２９】
また、証明書用カメラ３７は、提示された証明書を撮影しやすいような車高に合わせた高さに設定されている。また、この証明書用カメラ３７は、撮影された映像に歪みが生じにくいレンズを有しており、撮影された証明書が視認により確認しやすくしてある。なお、証明書用カメラ３７により撮影された映像に歪みが生じる場合には、カード処理装置１０またはカメラ制御部５０が、証明書用カメラ３７の撮影した映像における歪みを補正する補正回路を有するようにしてもよい。
【００３０】
カメラ照明３５は、証明書用カメラ３７の撮影領域に光を照射する。このカメラ照明３５は、撮影した証明書が暗くて見づらい場合など、提示されている証明書に光が照射されるように設置されている。
【００３１】
操作面カメラ３９は、車線上の車両方向に向けられ、車両全体を撮影する。この操作面カメラ３９は、利用者や車両全体の状況を作業者が把握するための映像を撮影する。特に、利用者がカード処理装置１０の操作方法がわからない場合など、作業者は、この操作面カメラ３９の映像に基づいて、利用者に操作方法などを教えることが可能となる。操作面カメラ３９は、例えば、広角レンズまたは魚眼レンズを有していてもよい。なお、操作面カメラ３９が撮影する映像に歪みがある場合には、カード処理装置１０またはカメラ制御部５０が、操作面カメラ３９の撮影した映像における歪みを補正する補正回路を有するようにしてもよい。
【００３２】
図４は、操作部４６が備える入力装置を示す。操作部４６は、複数のアラーム確認用ＬＥＤ５４を備える。アラーム確認用ＬＥＤ５４は、複数の車線２の内の、いずれかの車線２に対応している。各々のアラーム確認用ＬＥＤ５４に対応して隣接する位置に、案内灯釦５６が対応して設けられる。各々の案内灯釦５６に対応して隣接する位置に、車線選択釦５８が設けられる。複数の車線選択釦５８が設けられている領域に隣接して、１個の解除釦６０が設けられる。また、カメラ照明点灯釦６２が設けられている。
【００３３】
なお、図４の案内灯釦５６が図２の案内灯入力部７６に対応し、図４のカメラ照明点灯釦６２が図２のカメラ照明入力部に対応し、図４の車線選択釦５８と解除釦６０とが図２の車線選択部７８に対応する。
【００３４】
カメラ照明点灯釦６２が押下されると、切換部４４の制御に基づいて、車線選択釦５８により選択されている車線２に対応するカード処理装置１０のカメラ照明３５が点灯する。
【００３５】
図５は、本実施の形態におけるＥＴＣカード処理システムの動作を説明するフローチャートである。
【００３６】
ステップＳ２：まず、車両が料金所の車線２に進入する。次に、車両が車両検知器４を通過したことに応じて、車両検知器４は車両の存在を検出し、車両を検出したことを示す信号を車線サーバ１９に送信する。
ステップＳ４：次に、車両が車種判別装置６を通過したことに応じて、車種判別装置６は車両の車種を判別するための情報を収集し、収集した情報を車線サーバ１９に送信する。
【００３７】
ステップＳ６：次に、車両がＥＴＣアンテナ８と通信可能な領域まで進行したことに応じて、ＥＴＣアンテナ８は車両に向かって電波を送り、通信を試みる。ここで、車両がＥＴＣ車載器を備えており、そのＥＴＣ車載器との通信が成功する場合には、料金所サーバ１８の制御に基づいて、処理は次のステップＳ８に移行する。一方、通信が成功しない場合には、処理は後述するステップＳ１２に移行する。
【００３８】
ステップＳ８：ステップＳ６でＥＴＣアンテナ８が車両との通信に成功した場合には、料金所サーバ１８は、ＥＴＣアンテナ８が読み取ったＥＴＣ車載器の情報を用いて料金の処理を行う。
ステップＳ１０：次に、料金所サーバ１８は、車両のＥＴＣカードに書き込むべき情報を生成し、ＥＴＣアンテナ８を介してＥＴＣ車載器に送信する。
ステップＳ３２：次に、車線サーバ１９は車両の発進を許可し、発進制御機１２を開ける。
【００３９】
ステップＳ１２：一方、ステップＳ６でＥＴＣアンテナ８が車両との通信に成功しなかった場合には、通信が成功しなかったことを示す情報と、そのＥＴＣアンテナ８が設置されている車線２を特定する情報とを含む信号が料金所サーバ１８に送信される。次に、料金所サーバ１８の制御に基づいて、監視装置１６は、料金所事務室１４にいる作業者に光または音声で警告信号を出力し、通信が成功しなかった車線２である通信不成功車線を特定する情報を出力する。更に、料金所サーバ１８の制御に基づいて、車線選択装置２０における操作部４６の通信不成功車線に対応するアラーム確認用ＬＥＤ５４が点灯する。
【００４０】
ステップＳ１４：次に、作業者は、監視装置１６から出力される光または音声により警告信号を確認し、さらに通信不成功車線の様子を目視で確認する。
【００４１】
ステップＳ１６：次に、作業者は、点灯しているアラーム確認用ＬＥＤ５４を確認し、通信不成功車線に対応する案内灯釦５６を押下する。その押下に応答して、通信不成功車線に設置されたカード処理装置１０の案内灯３２が点灯し回転する。
ここで、通信不成功車線にいる車両の乗員は、ＥＴＣレーンに入ったにもかかわらず通信がうまくいかなかったことにより、どのような処理を行えばよいのか戸惑っている可能性が高い。その際、路側に設置されたカード処理装置１０の案内灯３２が点灯することにより、カード処理装置１０に対して乗員の注意が向けられる。
【００４２】
ステップＳ１８：次に、作業者は、通信不成功車線に対応する車線選択釦５８を押下する。切換部４４は、その押下に応答して、ＩＣカード情報処理装置４８、料金所サーバ１８、カメラ制御部５０及びモニタ５２が、複数のカード処理装置１０のうちの通信不成功車線に設置されたカード処理装置１０と情報通信するように設定する。
【００４３】
ステップＳ２０：次に、車線選択釦５８の押下に応答して、通信不成功車線のカード処理装置１０は以下の動作を行う。カード挿入口案内ランプ２６が点灯する。通常時は閉じているカード挿入口シャッター２８が開いてＥＴＣカードをＥＴＣカード挿入口２５に挿入することが可能な状態になる。スピーカ３０からＥＴＣカードを挿入することを促す予め設定された音声案内が出力される。操作面カメラ３９と証明書用カメラ３７とを起動する。
【００４４】
ステップＳ２２：次に、作業者は、操作面カメラ３９の映像を見て、車両の乗員がカード処理装置１０の操作をできるか否かについて確認する。また、作業者は、必要であれば、インターホン親機５３を用いて、インターホン子機３１を介して車両の乗員にカード処理装置１０の操作方法を説明する。
【００４５】
ステップＳ２４：次に、車両の乗員は音声案内に従ってＥＴＣカードを取り出し、車内から手を伸ばして、あるいは車両から降りて、カード挿入口案内ランプ２６を目印にしてＥＴＣカード挿入口２５を視認してＥＴＣカードを挿入する。ＩＣカード処理部２２は、挿入されたＥＴＣカードから情報を読み取り、読み取った情報を車線選択装置２０に送信する。
【００４６】
ステップＳ２６：次に、車線選択装置２０は、ＩＣカード処理部２２が読み取った情報に基づいて通行料金表示ＬＥＤ２９に料金を表示する。
【００４７】
ステップＳ２８：次に、作業者は、乗員が有料道路の料金について障害者割引の適用を受けるか否かを判定する。たとえば、作業者が、操作面カメラ３９の映像とインターホン親機５３とを用いて、乗員からの障害者割引の適用を受けるか否かの意思を確認することにより、作業者は、乗員が障害者割引の適用を受けるか否かを判定する。
【００４８】
ステップＳ３０：次に、ステップＳ２８の判定の結果で、乗員が有料道路の料金について障害者割引の適用を受けない場合には、作業者は料金所サーバ１８に対して割引を適用しない場合の所定の入力操作を行う。次に、切換部４４は、通信不成功車線のＩＣカード処理部２２から送信されたＥＴＣカードの情報をＩＣカード情報処理装置４８に送信する。次に、ＩＣカード情報処理装置４８は料金処理を実行し、ＥＴＣカードに書き込む書込情報を生成して簡易ＩＣＣ処理装置制御部３８に送信する。次に、切換部４４は、書込情報を通信不成功車線のカード処理装置１０に送信する。次に、カード処理装置１０は受信した書込情報をＥＴＣカードに書き込み、ＥＴＣカード挿入口２５からＥＴＣカードが取り出せるようにイジェクトする。次に、乗員がイジェクトされたＥＴＣカードを抜き取ると、カード挿入口シャッター２８が閉じる。次に、作業員が解除釦６０を押下すると、案内灯３２が点灯・回転を停止し、複数のカード処理装置１０のいずれもが簡易ＩＣＣ処理装置制御部３８によって選択されていない状態になる。次に、ステップＳ３２と同様に、作業員は通信不成功車線の発進制御機を開け、車両に対して発進を許可する。
【００４９】
ステップＳ４０：一方、ステップＳ２８の判定の結果で、乗員が有料道路の料金について障害者割引の適用を受ける場合には、証明書を証明書用カメラ３７に対して提示する。ここで、証明書用カメラ３７は、車両方向に向けられており、車内から提示された証明書を撮影することができるため、利用者は、例えば、車両の窓から証明書を提示するだけでよい。証明書用カメラ３７の映像は車線選択装置２０に送信される。なお、作業者は、必要に応じて、カメラ照明点灯釦６２を押下する。カメラ照明点灯釦６２が押下されたことにより、切換部４４は、車線選択釦５８で選択されている車線に対応するカード処理装置１０のカメラ照明３５を、カメラ制御部５０を介して点灯する。
【００５０】
ステップＳ４２：次に、切換部４４は、ステップＳ２０で起動した証明書用カメラ３７に基づいて、通信不成功車線の証明書用カメラ３７の映像をモニタ５２に表示する。モニタ５２に所定の書類が表示された場合、作業者は料金所サーバ１８に対して割引を適用するための所定の入力操作を行う。次に、切換部４４は、通信不成功車線のＩＣカード処理部２２から送信されたＥＴＣカードの情報と割引を適用することを示す情報とをＩＣカード情報処理装置４８に送信する。
【００５１】
ステップＳ４４：次に、車線選択装置２０は、ＩＣカード処理部２２が読み取った情報に基づいて、割引後の通行料金表示を算出し、算出した割引後の通行料金表示ＬＥＤ２９に料金を表示する。以降、料金について障害者割引が適用されて、上記に説明したステップＳ３０とステップＳ３２と同様の処理が実行される。
【００５２】
以上説明したように、本実施形態のＥＴＣカード処理システムによれば、ＥＴＣカード処理システムが、有料道路の料金所が備える車線の路側に配置され、ＥＴＣカードからカード情報を読み取るとともに送信し、該送信したカード情報に基づいて生成された清算情報を受信するとともにＥＴＣカードに書き込むカード処理装置と、料金所の料金所事務室に設置され、カード処理装置からカード情報を受信し、該受信したカード情報に基づいて生成される清算情報をカード処理装置に送信する制御装置と、を具備する。また、カード処理装置が、車線上の車両方向に向けられ、証明書を撮影するための証明書用撮影部を有し、制御装置が、カード処理装置の証明書用カメラが撮影した映像を表示する表示部を有することにより、作業員にカメラを介して証明書を提示する場合においても、利用者は、証明書を持った手を差し出して証明書を提示すること無しに、カメラを介して証明書を作業員に提示することができるという効果を奏する。また、そのために、雨天の場合においても、証明書が雨で濡れないという効果、および、車内に雨が入ることがないという効果を奏する。
【００５３】
なお、それぞれのカード処理装置１０が、車高に合わせて予め設置された複数の証明書用カメラ３７を有するようにしてもよい。この場合、更に、カード処理装置１０が、車線が対応している車種判別装置６が判別した車高に基づいて、カード処理装置１０が有する複数の証明書用カメラ３７の中から、１つの証明書用カメラ３７を選択する証明書用撮影部選択部を有するようにする。これにより、車高に合わせて、証明書を撮影することが可能となり、作業者は、証明書をより確認しやすくなる。例えば、普通車と大型車とでは車高に応じて運転席の高さが異なるが、いずれの場合においても、車両の窓から提示された証明書を、作業者の視認により確認しやすいように撮影することが可能となる。
【００５４】
また、モニタ５２は、カード処理装置１０の証明書用カメラ３７が撮影した映像を、静止画として表示してもよい。例えば、証明書用カメラ３７が動画を撮影し、モニタ５２の有する動画制御部が作業者の入力を受け付け、この受け付けた入力に基づいて、動画制御部が、証明書用カメラ３７の撮影した動画の中から選択した静止画を内蔵する記憶部に記憶し、この記憶部に記憶した静止画をモニタ５２に表示する。これにより、作業者は、証明書をより確認しやすくなる。例えば、撮影される証明書は、利用者が手に持っているため、手がぶれるとともに、撮影されている証明書もぶれることになる。そのため、ぶれていないタイミングで証明書を静止画として撮影することにより、作業者は証明書を、より視認によって確認しやすくなる。
【００５５】
また、モニタ５２は、カード処理装置１０の証明書用カメラ３７が撮影した映像を、所定の周期の静止画として表示してもよい。例えば、証明書用カメラ３７が動画を撮影し、モニタ５２の有する動画制御部が、この証明書用カメラ３７が撮影した動画を、所定の周期の静止画に変換し、変換した所定の周期の静止画をモニタ５２に表示するようにしてもよい。なお、この所定の周期とは、利用者が証明書を手に持っている場合の手のぶれの周期に基づいて、作業者が証明書を視認により確認しやすいように予め定められた所定の周期である。これにより、作業者は証明書を、より視認によって確認しやすくなる。
【００５６】
なお、上記においては、モニタ５２が動画制御部を有するものとして説明したが、これに限られるものではなく、動画制御部は、証明書用カメラ３７とモニタ５２との間であって、証明書用カメラ３７が撮影した映像を搬送する経路上にあればよい。例えば、証明書用カメラ３７、カード処理装置１０、車線選択装置２０、カメラ制御部５０、または、モニタ５２のいずれかが、動画制御部を有していてもよい。
【００５７】
なお、図２における切換部４４またはカメラ制御部５０は専用のハードウェアにより実現されるものであってもよく、また、この切換部４４またはカメラ制御部５０はメモリおよびＣＰＵ（中央演算装置）により構成され、切換部４４またはカメラ制御部５０の機能を実現するためのプログラムをメモリにロードして実行することによりその機能を実現させるものであってもよい。
【００５８】
以上、この発明の実施形態を図面を参照して詳述してきたが、具体的な構成はこの実施形態に限られるものではなく、この発明の要旨を逸脱しない範囲の設計等も含まれる。
【図面の簡単な説明】
【００５９】
【図１】この発明の一実施形態による料金所の構成を示す構成図である。
【図２】図１のカード処理装置と車線選択装置との構成を示す構成図である。
【図３】図１または図２のカード処理装置の外形を示す外形図である。
【図４】図２の操作部の外形を示す外形図である。
【図５】ＥＴＣカード処理システムの動作を示すフローチャートである。
【符号の説明】
【００６０】
２  車線
４  車両検知器
６  車種判別装置
８  ＥＴＣアンテナ
１０  カード処理装置
１２  発進制御機
１４  料金所事務室
１６  監視装置
１８  料金所サーバ
１９  車線サーバ
２０  車線選択装置
２２  ＩＣカード処理部
２４  インターフェース
２５  ＥＴＣカード挿入口
２６  カード挿入口案内ランプ
２８  カード挿入口シャッター
２９  通行料表示ＬＥＤ
３０  スピーカ
３１  インターホン子機
３２  案内灯
３５  カメラ照明
３７  証明書用カメラ
３８  簡易ＩＣＣ処理装置制御部
３９  操作面カメラ
４０  インターフェース
４１  インターフェース
４４  切換部
４６  操作部
４８  ＩＣカード情報処理装置
５０  カメラ制御部
５２  モニタ
５３  インターホン親機
５４  アラーム確認用ＬＥＤ
５６  案内灯釦
５８  車線選択釦
６０  解除釦
６２  カメラ照明点灯釦
７６  案内灯入力部
７２  カメラ照明入力部
７８  車線選択部
【図１】
0005232463.tif 000002
【図２】
0005232463.tif 000003
【図３】
0005232463.tif 000004
【図４】
0005232463.tif 000005
【図５】
0005232463.tif 000006